(57)【特許請求の範囲】
【請求項１】
情報端末から電話回線を介してデータベースに発呼する段階と、データベース側ではこの家庭用情報端末が登録されているか否かを確認し許可信号を返送する段階と、この家庭用情報端末が曲一覧表を要求する段階と、データベースが曲一覧表を送信する段階と、家庭用情報端末が曲一覧表を受信しテレビモニターの画面に表示する段階と、曲一覧表の中からリモートコントローラにより好みの曲を指定しこの曲データを要求する段階と、データベースがその曲データを送信する段階と、家庭用情報端末がＭＩＤＩデータの曲データを受信してこのＭＩＤＩデータを携帯電話１０のキー対応の特殊な番号やアルファベットや記号や文字に変換する段階と、前記携帯電話の前記キーを使用して入力できるように、前記変換された特殊な番号やアルファベットや記号や文字をテレビモニターの画面に表示する段階とからなる携帯電話用着信メロディーの配信方法。
【請求項２】
更に前記家庭用情報端末が前記曲データを楽曲データに復元してテレビ装置の音響部に送る段階と、この音響部から前記指定した曲を鳴らして試聴する段階とからなることを特徴とする請求項１記載の携帯電話用着信メロディーの配信方法。
【発明の詳細な説明】
【０００１】
【発明の属する技術分野】
この発明は、携帯電話用着信メロディーの配信方法と装置に関し、特に通信カラオケシステム利用した携帯電話用着信メロディーの配信方法と装置に関する。
【０００２】
【従来の技術】
従来の携帯電話用の着信メロディーは、予め本体内部の半導体記憶装置に複数のロディーを製造時に記憶する。
携帯電話の購入者はマニュアルに従って、好みのロディーを設定し着信時に呼び出し音として利用している。
一方近年における携帯電話の普及が著しく、複数の通行人が行き来し交差する駅や歩道での着信時に、着信メロディーが鳴り出した場合、自己と他人の着信メロディーが同じである場合自己の着信と他人の着信とが区別できないことが多かった。
そこで、携帯電話の使用者はなるべく他人とは異なったメロディーを着信用に採用する傾向にある。
【０００３】
更に、若い世代の携帯電話の使用者は、テレビやラジオ放送で歌っている若い歌手による新曲のメロディーを着信用に採用する傾向にある。
携帯電話に新曲のメロディーを着信用に採用することにより、最新の音楽を楽しむと同時に自己と他人との着信区別をより鮮明にしている。
市場には「着メロインプットマニュアル」等と称さられる雑誌が月刊、季刊に発売されており、携帯電話の使用者はこの雑誌を購入して、雑誌に記載された新曲のメロディーの楽譜（特殊な番号やアルファベットや記号）を見て、キーを使用して携帯電話に入力していた。
【０００４】
【発明が解決しようとする課題】
従来の着信メロディーの設定方法では、少数の着信メロディーしか準備さてていないので、多くの利用者が同一のメロディーを使用することになり、着信時に混乱を生じる場合があった。
また「着メロインプットマニュアル」等と称さられる雑誌や書籍を入手し、キーを使用して携帯電話に入力していたので、新曲が発表されてから「着メロインプットマニュアル」等の発売まで、日時を要するため直ぐには、新曲のメロディーを着信メロディーにすることはできなかった。
即ち、新曲のリリースから新曲のメロディーの入手までタイムラグがあった。また「着メロインプットマニュアル」等には多くの新曲のメロディーが含まれるので、必要のない新曲まで合わせて購入したことになり、無駄な出費が存在していた。
雑誌に記載された新曲のメロディーの楽譜を見て、キーを使用して入力するのは何回もキーやボタンを押さなければならないので、面倒な作業であった。
この発明は、リリースされた新曲のメロディーを即時、タイムリーに入手し、好みに合った必要な新曲のメロディーを少ない費用で入手し、簡単に自己の携帯電話に設定できる携帯電話用着信メロディーの配信方法と装置を提供することを目的としている。
【０００５】
【課題を解決するための手段】
この発明は、情報端末から電話回線を介してデータベースに発呼する段階と、データベース側ではこの家庭用情報端末が登録されているか否かを確認し許可信号を返送する段階と、この家庭用情報端末が曲一覧表を要求する段階と、データベースが曲一覧表を送信する段階と、家庭用情報端末が曲一覧表を受信しテレビモニターの画面に表示する段階と、曲一覧表の中からリモートコントローラにより好みの曲を指定しこの曲データを要求する段階と、データベースがその曲データを送信する段階と、家庭用情報端末がＭＩＤＩデータの曲データを受信してこのＭＩＤＩデータを携帯電話１０のキー対応の特殊な番号やアルファベットや記号や文字に変換する段階と、前記携帯電話の前記キーを使用して入力できるように、前記変換された特殊な番号やアルファベットや記号や文字をテレビモニターの画面に表示する段階とからなることを特徴とする。
【０００６】
【発明の実施の形態】
この発明の携帯電話用着信メロディーの配信方法と装置について説明する。まず、図１に示したものは、携帯電話用着信メロディーの配信方法を実施する装置全体を示す。
少数のホストデータベース１には大量の曲データ２と最近の１ヶ月の新曲リスト８が格納されており、新曲が発売されると即ちに追加登録される。
少数のホストデータベース１は多数の地域データベース３と公衆回線や専用の通信回線４により接続され、少数のホストデータベース１から多数の地域データベース３に常時最新のデータを専用の通信回線４等により送るようにしている。
【０００７】
地域データベース３にはホストデータベース１と同量の曲データ２と最近の１ヶ月の新曲リスト８及び、多数の登録会員名簿５のデータが格納されている。
各地域データベース３にはＮＴＴ電話回線６によりその地域の多数の家庭用情報端末７が接続されており、家庭用情報端末７の使用者が登録会員となる。
各家庭には家庭用情報端末７と携帯電話１０とテレビ装置１１と一般電話機１２とリモコン１３とデータ転送アダプター １４とが設けられている。
テレビ装置１１はテレビモニター１５とスピーカー１６とを備え、映像回路と音響回路を内蔵している。
【０００８】
リモコン１３は家庭用情報端末７を制御するもので、テレビ装置１１用のリモコンとは別である。
データ転送アダプター１４は家庭用情報端末７に一時格納されたデータを携帯電話１０に転送する。
次に、図２の通信手順に従って携帯電話用着信メロディーの配信方法の動作を説明する。
家庭用情報端末７とテレビ装置１１に電源を投入すると、家庭用情報端末７は各種の機能選択メニューをテレビ装置１１のテレビモニター１５に表示する。
携帯電話１０の使用者がテレビモニター１５の画面を見ながらリモートコントローラモータ１３から家庭用情報端末７に発呼命令を送る。
【０００９】
家庭用情報端末７は予め記録されている電話番号により遠隔地の地域データベース３に電話回線６を介して発呼する。
発呼を受けた地域データベース３側ではこの家庭用情報端末７が登録されているか否亜か登録会員名簿５を検索して確認し、登録会員なら許可信号を返送する。
許可信号を受信した家庭用情報端末７では、所定のプログラムに従ってリクエスト曲の入力や新曲データリストの要求等の機能選択メニューをテレビ装置１１のテレビモニター１５に表示する。
【００１０】
リモートコントローラ１３の使用者が曲一覧表（新曲データリスト）を要求する命令を家庭用情報端末７に入力すると、 この要求は地域データベース３に届き、地域データベース３は新曲リスト８を読み出し、曲一覧表を家庭用情報端末７送信する。
家庭用情報端末７は曲一覧表を受信し、テレビモニター１５の画面に表示する。曲一覧表の中から選んでリモートコントローラ１３により好みの新曲を指定し、この新曲データを地域データベース３に要求する。新曲が多い場合は１画面から曲一覧表が溢れるが、画面をスクロールして全曲名を一通り見ることができる。
【００１１】
要求を受けた地域データベース３はその曲データ２の中からリクエストのあった新曲を読み出して、家庭用情報端末７に送信し、電話の接続を遮断する。
地域データベース３ではリクエストを受け付けた会員に対して新曲データを送信した料金の課金処理を行い、会員名簿５に記録する。
家庭用情報端末７では受信した当該曲データはＭＩＤＩデータであるので、このＭＩＤＩデータを携帯電話１０のキー対応の文字に変換し、テレビモニター１５に表示する。
【００１２】
同時に家庭用情報端末７は曲データのＭＩＤＩデータを楽曲データに復元してテレ装置１１の音響部に送る。この音響部はスピーカー１６に楽曲信号を送り指定した新曲メロディーを鳴らして試聴する。
新曲メロディーが所望のもの、期待した音や旋律であれば、テレビモニター１５に表示されたキー対応の文字を見ながら携帯電話１０を手に取り、キーを使用して新曲メロディーを着信メロディーとして設定する。
【００１３】
データ転送アダプター１４がある場合は、受信した曲データ（このＭＩＤＩデータを携帯電話１０のキー対応の文字に変換した文字データ）を家庭用情報端末７からデータ転送アダプター１４に送る。
この時データ転送アダプター１４には携帯電話１０を設置して、この曲データをキーを使用することなく直接携帯電話１０に転送する。
データ転送アダプター１４がある場合はテレビモニター１５に表示されたキー対応の文字を見ながら携帯電話１０を手に取り、キーを使用して入力する手間を省くことができる。
【００１４】
データ転送アダプター１４は、１９９９年１月から携帯電話１０の先頭番号が一斉に変更された時に、携帯電話１０に記憶している電話番号を変更する際に使用されたデータ転送用のアダプターを改良する。
なお、データ転送アダプター１４がＭＩＤＩデータを直接携帯電話１０に転送するようにすれば、家庭用情報端末７からＭＩＤＩデータを受信し、地域データベース３にあるある新曲のみならず比較的に古い曲データも着信メロディーとして利用できる。
【００１５】
逆に携帯電話１０のキー対応の文字に変換した文字データを新曲リスト８とともに予め地域データベース３に格納しておけば、従来の家庭用情報端末７を使用してテレビ装置１１のテレビモニター１５に文字を表示したり、データ転送アダプター１４を介して携帯電話１０にデータを転送できる。
【００１６】
【発明の効果】
以上説明してきたように、この発明によればリリースされた新曲のメロディーを即時、タイムリーに入手し、好みに合った必要な新曲のメロディーを少ない費用で入手し、簡単に自己の携帯電話に着信メロディーとして設定できる。新曲を着信メロディーとすることにより、製造時に登録された曲とは異なったメロディーを常に更新登録できる。
従って概ね他人とは別の着信メロディーを鳴らすことになり、街頭での自局への着信と他人への着信とを容易に判別できるようになる。
【図面の簡単な説明】
【図１】この発明の携帯電話用着信メロディーの配信方法が実施されるシステムの全体ブロック図である。
【図２】この発明の携帯電話用着信メロディーの配信方法の動作を説明するプロトコルの図である。
【符号の説明】
１  ホストデータベース
２  曲データ
３  地域データベース
４  通信回線
５  登録会員名簿
６  ＮＴＴ電話回線
７  家庭用情報端末
８  新曲リスト
１０  携帯電話
１１  テレビ装置
１２  一般電話機
１３  リモコン
１４  データ転送アダプター
１５  テレビモニター
１６  スピーカー
【図１】
0003869148.tif 000002
【図２】
0003869148.tif 000003